(57)【要約】【目的】人体の下肢部の運動のための簡便な機器の提供。【構成】コの字形のフレームの屈曲部の近傍に回転軸を枢着し、この回転軸に三か所のループ状のフックを設け、その内部にずれや脱落を防ぐ部材を設け、これらのフックに環状の布材を被せ、これらを伸縮性の反発力を有する帯状の部材で連結し、この帯状の部材を左右の足の裏で押すことによって生じる反発力を利用して、人体の下肢部の運動を行う下肢運動用具。【選択図】        図１
2004275684.tif 000002
【特許請求の範囲】
【請求項１】
水平に設けられたコの字形のフレームの二か所の屈曲部の近傍に、フレームの中央部の部材と平行に回転軸を枢着し、この回転軸に三か所のループ状のフックを設け、これらのフックを立てた時にはフックの一部がフレームの中央部の部材に当たってストッパーとなり、収納の際にはフック部を倒して折り畳むことができるようにし、これらの三か所のループ状のフックのそれぞれに、可撓性を有する環状の部材を被せ、これらの環状の部材同士を伸縮性の反発力を有する帯状の部材で連結し、これらの帯状の部材を左右の足の裏で押すことによって生じる反発力を利用して、人体の下肢部の運動を行う下肢運動用具。
【請求項２】
三か所のループ状のフックのそれぞれの内部に、一端をほぼ９０°に曲げ、他端をＵ字形に曲げた部材を取り付け、三か所のループ状のフックのそれぞれに可撓性を有する環状の部材を被せるとき、Ｕ字形に曲げられた部材の先端部をくぐらせて部材の先端部をおおい隠すとともに、環状の部材がループ状のフックの内部の部材の二か所の屈曲部の間に収まるように組み付けることによって、下肢部の運動に伴なう環状の部材のずれや脱落を防ぎ、またＵ字形に曲げられた部材の先端部による怪我などの危険を防ぐように構成された、請求項１記載の下肢運動用具。
【発明の詳細な説明】
【０００１】
【産業上の利用分野】
この発明は、高齢者や病弱者を含む一般人のための人体の下肢部の運動を行う機器に関する。
【０００２】
【従来の技術】
従来の下肢部の運動を行う機器は、足踏みペダルを踏むかあるいは自転車のペダルを漕ぐ動作を応用し、これに機械的または電気的制御による負荷や駆動力を付加して運動させる機構のもので、複雑且つ高価なものであり、その運動負荷は高齢者や病弱者には一般的に過大であり、踏み外しなどによる危険もあった。また椅子、座椅子またはベッドで使用することができる軽負荷で簡便且つ安全な下肢部の運動を行う機器はこれまで例がなかった。
【０００３】
【発明が解決しようとする課題】
座位または臥位で気楽に運動させることによって、高齢者や病弱者が寝たきりになることを防ぎ、また筋力の衰えを感じ始めた中高年者の、筋力低下を防止する効果を持たせることができる、軽負荷で簡便且つ安全で折り畳みが可能な下肢部運動用具を提供することが課題であった。
【０００４】
【課題を解決するための手段】
水平に設けられたコの字形のフレームの二か所の屈曲部の近傍に、フレームの中央部の部材と平行に回転軸を枢着し、この回転軸の中央部と両側の三か所にループ状のフックを設け、これらのフックを立てた時にはフックの一部がフレームの中央部の部材に当たってストッパーとなり、収納の際にはフック部を倒して折り畳むことができるようにし、これらの三か所のループ状のフックのそれぞれに、可撓性を有する環状の布などの部材を被せ、これらの環状の部材同士を伸縮性の反発力を有する帯状の部材、例えばゴム材を織り込んだ布材などで連結し、これらの帯状の部材を左右の足の裏で押すことによって生じる反発力を利用して、人体の下肢部の運動を行うようにする。
【０００５】
三か所のループ状のフックのそれぞれの内部に、一端をほぼ９０°に曲げた部材を取り付け、この部材の他端をＵ字形に折り曲げ、三か所のループ状のフックのそれぞれに可撓性を有する環状の部材を被せるとき、Ｕ字形に曲げられた部材の先端部をくぐらせて、環状の部材がループ状のフックの内部の部材の二か所の屈曲部の間に収まるように組み付けることによって、下肢部の運動に伴なう環状の部材のずれや脱落を防ぐように構成する。
【０００６】
回転軸の中央部と両側の三か所に設けたフックをループ状とした理由は、尖った部分をなくして怪我などの危険を防ぐためであり、同様にフックの内部に設けられた部材のＵ字形の先端部についても、環状の部材を被せて尖った部分をおおい隠し、怪我などの危険を防ぐ構造としたものである。
【０００７】
水平に設けられたコの字形のフレームの両端部を、椅子あるいは座椅子と結合することによって、座位の状態で帯状の部材を左右の足の裏で押すことによる運動を行うことができるとともに、またこの装置をベッドに置き、コの字形フレームの中央部の部材を、スペーサーを介してベッドの足部の縦枠に押し当てることによって、寝たままの状態で帯状の部材を左右の足の裏で押すことによる運動を行うこともできる。
【０００８】
三か所のループ状のフックに被せた可撓性を有する環状の布などの部材同士を、伸縮性の反発力を有する帯状の部材、例えばゴム材を織り込んだ布材などで連結することにより、左右の足で交互に踏んでもよく、両足同時に踏んでもよく、片足づつ踏んでもよいため、運動の種類の選択ができる利点がある。
【０００９】
寝たきりの患者の場合、歩行が困難になる尖足症を起こしやすいため、ベッドに足の裏を支える台を置き、また夜具の上掛けを持ち上げておくための、尖足リヒカーと呼ばれる器具が用いられることが多い。本発明の装置はまた、寝たきりの患者の尖足症を防ぐための、足の裏を支える器具としても用いることができる利点がある。
【００１０】
【実施例】
以下、本発明の具体的な実施例について、図面に沿って詳述する。
図１は、本発明の下肢運動用具の三か所のループ状のフックを立て、座椅子と結合した状態を示す斜視図である。
図２は、ループ状のフックを倒した状態を示す斜視図である。
図３は、ループ状のフックの内部に設けた部材の形状を示す斜視図である。
図４は、環状の布および伸縮性を有する帯状の部材をループ状のフックに被せた状態を示す斜視図である。
図５は、ベッドに置いて使用する状態を示す側面図である。
【００１１】
コの字形フレーム１の二か所の屈曲部の近傍に、フレームの中央部の部材と平行に回転軸２を枢着し、この回転軸２の中央部と両側の三か所にループ状のフック３を設け、これらのフック３を図１に示すように立てた時には、フック３の一部がフレーム１の中央部の部材に当たってストッパーとなり、収納の際には図２に示すようにフック３を倒して折り畳むことができるようにし、これらの三か所のループ状のフック３のそれぞれに、可撓性を有する環状の布などの部材４を被せ、これらの環状の部材４同士を伸縮性の反発力を有する帯状の部材、例えばゴム材を織り込んだ布材５などで連結する。
【００１２】
三か所のループ状のフック３のそれぞれの内部に、図３のように一端をほぼ９０°に曲げ、他端をＵ字形に折り曲げた部材６を取り付け、三か所のフック３のそれぞれに可撓性を有する環状の部材４を被せるとき、図４に示すようにＵ字形に曲げられた部材６の先端部７をくぐらせて、環状の部材４が先端部７をおおい隠すとともに、部材６の二か所の屈曲部の間に収まるように組み付けられる。
このようにすることにより、部材６の先端部７は環状の部材４におおい隠されて、怪我などの危険を防ぐとともに、環状の部材４がずれたり外れたりすることを防ぐことになる。
【００１３】
コの字形のフレーム１の両端部８を、図１に示すように、座椅子９と長さを調節できるようにして結合することによって、座位の状態で帯状の部材５を左右の足の裏で押すことによる運動を行うことができるとともに、またこの装置をベッド１０に置き、フレーム１の中央部の部材を、スペーサー１１を介してベッド１０の足部の縦枠１２に押し当てることによって、寝たままの状態で帯状の部材５を左右の足の裏で押すことによる運動を行うこともできる。
【００１４】
【発明の効果】
本発明の下肢運動用具は、座位または臥位で気楽に運動ができるため、高齢者や病弱者が寝たきりになることを防ぎ、また筋力の衰えを感じ始めた中高年者の筋力低下を防止する効果がある。
【００１５】
従来の下肢部の運動を行う機器は複雑且つ高価なものであり、その運動負荷は高齢者や病弱者には一般的に過大であり、踏み外しなどによる危険もあったが、本発明の下肢運動用具は、ゴム材を織り込んだ布を足の裏で踏む方式であり、構造が簡単で運動負荷が軽く、踏み外しなどによる危険がない上に取扱いが簡便なため、安全且つ気楽に運動ができる効果がある。
【００１６】
自転車のペダル式と異なり、左右の足で交互に踏んでもよく、両足同時に踏んでもよく、片足づつ踏んでもよいため、運動の種類の選択ができる効果がある。
【００１７】
本発明の装置はまた、寝たきりの患者の尖足症を防ぐための、足の裏を支える器具としても用いることができる効果がある。
【図面の簡単な説明】
【図１】フックを立て、座椅子と結合した状態を示す斜視図。
【図２】フックを倒した状態を示す斜視図。
【図３】フックの内部の部材の形状を示す斜視図。
【図４】環状および帯状の部材をフックに被せた状態を示す斜視図
【図５】ベッドに置いて使用する状態を示す側面図
【符号の説明】
（１）  コの字形フレーム
（２）  回転軸
（３）  フック
（４）  環状の布材
（５）  ゴム材を織り込んだ布材
（６）  Ｕ字形に折り曲げた部材
（７）  部材６の先端部
（８）  フレーム１の両端部
（９）  座椅子
（１０）  ベッド
（１１）  スペーサー
（１２）  ベッドの足部の縦枠
【図１】
2004275684.tif 000003
【図２】
2004275684.tif 000004
【図３】
2004275684.tif 000005
【図４】
2004275684.tif 000006
【図５】
2004275684.tif 000007